(57)【要約】【課題】マニキュア除去の際に直接除光液が手に触れることなく、マニキュア除去を容易に行うことができる除光液パッドホルダーを提供することである。【解決手段】十字状に配置された４本の腕部１ａを有する基板１と、該腕部１ａから伸びた持ち手１ｂを備えたホルダー本体２と、該基板１を覆う蓋体４と、を備え、該ホルダー本体２と該蓋体４との間に、除光液を含浸するパッド１０を挟み込むことを特徴とする除光液パッドホルダー。【選択図】図２
2018015464.tif 000002
【特許請求の範囲】
【請求項１】
十字状に配置された４本の腕部（１ａ）を有する基板（１）と、該腕部（１ａ）から伸びた持ち手（１ｂ）を備えたホルダー本体（２）と、
該基板（１）を覆う蓋体（４）と、を備え、
該ホルダー本体（２）と該蓋体（４）との間に、除光液を含浸するパッド（１０）を挟み込む
ことを特徴とする除光液パッドホルダー。
【請求項２】
前記パッド（１０）は、該パッド（１０）の対角線を前記基板（１）の十字状と一致するように積載されている請求項１に記載の除光液パッドホルダー。
【請求項３】
前記基板は十字状の腕部（１ａ）と腕部（１ａ）との間に曲線状の屈曲部を有し、該屈曲部より外側に前記パッド（１０）は湾曲部（１０ａ）を有する請求項１又は２に記載の除光液パッドホルダー。
【請求項４】
前記腕部（１ａ）の両翼の端部より外側に前記パッド（１０）は三角部（１０ｂ）を有する請求項１〜３のいずれかに記載の除光液パッドホルダー。
【請求項５】
前記蓋体（４）は、上面の中心部に中心円部（７）を有し、該中心円部（７）から十字状の腕部（１ａ）と腕部（１ａ）の中間部に向かって溝（８）が形成されている請求項１〜４のいずれかに記載の除光液パッドホルダー。
【請求項６】
前記溝（８）は、前記中心円部（７）から外側に向かって傾斜する片勾配である請求項１〜５のいずれかに記載の除光液パッドホルダー。
【請求項７】
前記腕部（１ａ）から伸びる持ち手（１ｂ）には、規制部材（９）が設けられている請求項１〜６のいずれかに記載の除光液パッドホルダー。
【請求項８】
前記基板（１）の４本の腕部（１ａ）には、少なくとも１つのズレ防止ボスが形成されている請求項１〜７のいずれかに記載の除光液パッドホルダー。
【請求項９】
前記ホルダー本体（２）と蓋体（４）はヒンジ（３）を介して連結されている請求項１〜８のいずれかに記載の除光液パッドホルダー。
【発明の詳細な説明】
【技術分野】
【０００１】
本発明は、マニキュアを爪部から除光液を用いて除去する際にパッドを保持する除光液パッドホルダーに関するものである。
【背景技術】
【０００２】
従来、マニキュアを落とす際は、コットン（脱脂綿）等のパッドに除光液を含浸させ、手でパッドを爪部に押し付けながら、マニキュアを落としていた。そして、除去液がマニキュア被膜以外の手足指先等に付着し、除去液に溶けたマニキュア被膜が周辺に付着した時は完全な除去が困難であり、また思わず大量の除去液が爪と指先共に付着した場合は、指先他の皮膚部を痛めたり・肌が荒れてしまう問題があった。この面倒さかと肌荒れの懸念から、マニキュアを所有していても、使用を控える人もいる。
【０００３】
このような問題から、除光液を含浸させるコットン等の吸着材を直接手に触れないようしてマニキュアを拭き取るマニキュア落とし器が開示されている（例えば、特許文献１参照）。しかしながら、特許文献１においては、マニキュアを拭き取る面が吸着材の一面しかなく、マニキュアが汚れ易くマニキュア除去が直ぐに行い難くなり、また吸着材のカートリッジをかなりの頻度で新品に交換せざるを得ず、費用の嵩むものであった。
【先行技術文献】
【特許文献】
【０００４】
【特許文献１】特開平１０−１０８７２６号公報
【発明の概要】
【発明が解決しようとする課題】
【０００５】
本発明の目的は、上記した従来技術における問題点を解消することであり、マニキュア除去の際に除光液が直接手に触れることなく、マニキュア除去を容易に行うことができる除光液パッドホルダーを提供することである。
【課題を解決するための手段】
【０００６】
上記課題を解決するため、本発明の主たる構成は、
十字状に配置された４本の腕部を有する基板と、該腕部から伸びた持ち手を備えたホルダー本体と、
該基板を覆う蓋体と、を備え、
該ホルダー本体と該蓋体との間に、除光液を含浸するパッドを挟み込む
ことを特徴とする。
【０００７】
上記主たる構成からなる除光液パッドホルダーでは、除光液を含浸するパッドをホルダー本体と蓋体の間に挟み込んでいるため、除光液が含浸するパッドを直接手で触れることなく、マニキュアを拭き取ることが可能である。
【０００８】
また、本発明の他の構成は、パッドの対角線を基板の十字状と一致するように積載されているものである。
【０００９】
パッドの対角線を基板の十字状と一致するようにパッドを持ち手に対してひし形位置に配置したことによって、十字状の腕部と腕部の間に挟まれた広い部分が４つ形成され、更に両翼腕部の端部より外側にそれぞれ広がる狭い部分が形成される。広い部分は爪の広い範囲でマニキュアを拭き取れ、広い部分で拭き取れなかった爪の細かい部分や端のマニキュアを狭い部分で拭き取ることができ、容易にマニキュアを払拭することが可能となった。
【００１０】
また、本発明の他の構成は、十字状の腕部と腕部との間に曲線状の屈曲部を有し、該屈曲部より外側にパッドは湾曲部を有するものである。
【００１１】
パッドの湾曲部で爪部のマニキュアを拭き取る際に、十字状の腕部と腕部の間の曲線状の屈曲部が、曲部を有する爪部にフィットして爪部の広い部分を払拭することが可能である。
【００１２】
また、本発明の他の構成は、腕部の両翼の端部より外側にパッドは三角部を有するものである。
【００１３】
パッドの腕部の両翼端部より外側の三角部は、パッドがフレキシブルに使えるため爪部の細かい部分や端のマニキュアを拭き取ることができる。
【００１４】
また、本発明の他の構成は、蓋体が上面の中心部に中心円部を有し、中心円部から十字状の腕部と腕部の中間部に向かって溝が形成されているものである。
【００１５】
中心円部から腕部の中間部に向かって溝が形成されているため、除光液を中心円部に垂らすことによって、除光液に触れることなくパッドに含浸させることが可能となった。
【００１６】
また、本発明の他の構成は、溝が中心円部から外側に向かって傾斜する片勾配である。
【００１７】
溝が中心円部から外側に向かって傾斜しているため、中心円部に垂らした除光液を効率良くパッドに導くことができる。
【００１８】
また、本発明の他の構成は、腕部から伸びる持ち手には規制部材が設けられているものである。
【００１９】
規制部材を設けたことによって、パッドの対角線を基板の十字状と一致させることが容易になった。
【００２０】
また、本発明の他の構成は、基板の４本の腕部には少なくとも１つのズレ防止ボスが形成されているものである。
【００２１】
腕部に少なくとも１つのズレ防止ボスを形成することによって、より強固にパッドを固定することができ、マニキュアを拭き取る際にパッドがズレることを防止することができる。
【００２２】
更に、本発明の他の構成は、ホルダー本体と蓋体はヒンジを介して連結されているものである。
【００２３】
ヒンジを介してホルダー本体と蓋体が連結されているため、パッドの挟み込みを容易に行うことが可能である。
【発明の効果】
【００２４】
本発明は、上記した構成となっているので、以下に示す効果を奏する。
本発明の主たる構成においては、直接手で除光液に触れることなくマニキュアを払拭することが可能となった。
【００２５】
また、本発明の構成においては、マニキュアの付いた爪の広範囲を拭く場合と、細部を拭く場合に合った形状を設けており、一枚のパッドを有効に使用してマニキュアを容易に拭き取ることが可能である。
【図面の簡単な説明】
【００２６】
【図１】本発明の除光液パッドホルダーの展開図である。
【図２】図１の除光液パッドホルダー使用状態の上面図である。
【図３】図２の除光液パッドホルダーだけでのＩ−Ｉ線における断面図である。
【発明を実施するための形態】
【００２７】
以下、本発明の実施形態について図面を参照しつつ説明する。
図１は本発明の除光液パッドホルダーの展開図であり、図２は除光液パッドホルダー使用状態の上面図であり、図３は図２に示される除光液パッドホルダーだけでのＩ−Ｉ線での断面図である。
【００２８】
本実施形態の除光液パッドホルダーは合成樹脂製であり、図１に示すように、ホルダー本体２は十字状形状であり、十字状に配置された４本の腕部１ａを有し、十字状の腕部１ａと腕部１ａとの間に曲線状の屈曲部を有する基板１と、この一つの腕部１ａから長く伸びた持ち手１ｂを備え、持ち手１ｂの反対側の腕部１ａ端部からヒンジ３を介して回動可能に蓋体４が連結されている。腕部１ａの両翼は、持ち手１ｂ方向に対して直交するように直線状に切り落とされた端部形状を有する。十字状の基板１の上面には、マニキュア除去に用いられる除光液を含浸させるパッド１０を積載可能であり、ホルダー本体２と蓋体４の間にパッド１０を挟み込んで固定することができる。パッド１０としては、例えば、コットン（脱脂綿）やスポンジ状の綿状体（軟質プラスチック発泡体を含む）が挙げられる。
【００２９】
ホルダー本体２と蓋体４の間に挟み込んだだけでは、パッド１０を強固に固定することは難しいので、十字状の基板１の両翼の腕部１ａ、１ａと持ち手１ｂ側の腕部１ａの計３箇所にパッド１０のズレ防止ボス６用のボス突起６ａが突設され、対向する蓋体４にはボス穴６ｂが３箇所空いている。更に、持ち手１ｂを含めたホルダー本体２と蓋体４とを重ねた時に、互いにズレ難くし、パッド１０もズレ難くする嵌合部５として、ヒンジ３側の腕部１ａと持ち手１ｂ部分に嵌合穴５ａが開口し、対向する蓋体４には嵌合突起５ｂが突設されている。蓋体４を図３に示される「閉」状態にするには、嵌合部５で蓋体４側の嵌合突起５ｂの先端部がホルダー本体２側の嵌合穴５ａに入り込むように嵌合突起５ｂを押し込むと、嵌合突起５ｂの中央部が中空であることにより縮径変形して入り込み、嵌合穴５ａの下面側の拡径部にて嵌合突起５ｂがアンダーカット状に嵌合する。
【００３０】
本発明においては、後述するがマニキュア除去の観点からパッド１０を基板１に積載させる際、図１に示されるようにパッド１０の対角線を基板１の十字状と一致させるようにすることが好ましい。このため、腕部１ａから伸びる持ち手１ｂには、パッド１０の対角線を基板１の十字状と一致させてパッド１０を持ち手１ｂに対してひし形位置に配置するための規制部材９が設けられ、対向する蓋体４には凹部９ａが形成されている。
【００３１】
図２にはホルダー本体２と蓋体４の間にパッド１０を挟み込んだ除光液パッドホルダー使用状態が示され、パッド１０はホルダー本体２の十字状の腕部１ａと腕部１ａの間に挟まれ、曲線状の屈曲部より外側の４つの湾曲部１０ａと、両翼の腕部１ａ、１ａの持ち手１ｂ方向に対して直交する直線部を有する端部より外側にそれぞれ広がる三角部１０ｂとなっている。蓋体４の上面には、中心部に中心円部７が設けられ、中心円部７から外側の腕部１ａと腕部１ａの中間部である各湾曲部１０ａに向かって傾斜した片勾配の溝８が設けられ、溝８を除く中心円部７の外周部には外周壁７ａが突設されている。
【００３２】
次に、除光液パッドホルダーを用いたマニキュア除去方法を説明する。
図１に示されようにパッド１０を規制部材９に合わせ、パッド１０の対角線をホルダー本体２の十字状と一致させて積載し、ヒンジ３を介して蓋体４を回動させて、ホルダー本体２と蓋体４の間にパッド１０を挟みこむ。挟みこまれたパッド１０は、図２に示されようにヒンジ３側の嵌合部５に巻き込まれて係止され、更に３箇所のズレ防止ボス６で係止されている。
【００３３】
その後、パッド１０にマニキュア除去用の除光液を含浸させるのに、蓋体４の上面の中心円部７に除光液を垂らし、垂らした除光液は各湾曲部１０ａに向かう片勾配により溝８を伝ってパッド１０の湾曲部１０ａに染み込み、それから三角部１０ｂにも染み込む。中心円部７には外周壁７ａが突設されているため、除光液が中心円部７から溢れ出ることを防止でき、かつ除光液を溝８に集め易い構成となっている。
【００３４】
除光液が含浸したパッド１０を用いて、まず初めに屈曲部の曲線に沿ってパッド１０が爪部の曲線にフィットし易い湾曲部１０ａで爪部の広い部分のマニキュアを拭き取り、湾曲部１０ａで拭き取れなかった爪部の細かい部分や端のマニキュアを、腕部１ａの両翼の端部より外側でフレキシブルに使える三角部１０ｂで拭きとることができ、除光液が含浸したパッド１０に手が触れることなくマニキュアを容易に払拭することが可能である。
【００３５】
以上、実施例に沿って本発明の構成とその作用効果について説明したが、本発明の実施の形態は上記実施形態に限定されるものではない。
例えば上記実施形態では、ホルダー本体２と蓋体４をヒンジ３を介して一体に形成しているが、ヒンジ３を介さず、それぞれ別体としても構わない。また、各湾曲部１０ａに続く溝８は１つに限定させるものではなく、複数設けても構わない。
【産業上の利用可能性】
【００３６】
以上説明したように、本発明の除光液パッドホルダーは、除光液が含浸したパッドに直接手を触れることなくマニキュアを払拭することができ、マニキュア除去の分野における用途展開をさらに広い領域で図ることができる。
【符号の説明】
【００３７】
１    ；  基板
１ａ  ；  腕部
１ｂ  ；  持ち手
２    ；  ホルダー本体
３    ；  ヒンジ
４    ；  蓋体
５    ；  嵌合部
５ａ  ；  嵌合穴
５ｂ  ；  嵌合突起
６    ；  ズレ防止ボス
６ａ  ；  ボス突起
６ｂ  ；  ボス穴
７    ；  中心円部
７ａ  ；  外周壁
８    ；  溝
９    ；  規制部材
９ａ  ；  凹部
１０  ；  パッド（コットン）
１０ａ；  湾曲部
１０ｂ；  三角部
【図１】
2018015464.tif 000003
【図２】
2018015464.tif 000004
【図３】
2018015464.tif 000005